(57)【特許請求の範囲】
【請求項１】
イベント履歴データを格納するイベント履歴データベースと、
トレンドデータを格納するトレンドデータベースと、
前記イベント履歴データベースを管理し、プレイバック開始指令に従って前記イベント履歴データベースから前記イベント履歴データを取得するイベント履歴サーバと、
前記トレンドデータベースを管理し、前記プレイバック開始指令に従って前記トレンドデータベースから前記トレンドデータを取得するトレンドサーバと、
前記プレイバック開始指令を仲介して前記イベント履歴サーバ及び前記トレンドサーバへ送る統合データサーバと、
グラフィック画面上のプレイバックボタンがクリックされると前記グラフィック画面上にプレイバック開始ウィンドウを表示し、前記プレイバック開始ウィンドウにおいて開始時刻が入力されて再生開始ボタンがクリックされると前記開始時刻を含む前記プレイバック開始指令を出力し、前記統合データサーバ、前記イベント履歴サーバ、及び前記トレンドサーバを通じて前記イベント履歴データベース、及び前記トレンドデータベースから前記開始時刻以降のイベント履歴データ、及びトレンドデータを取得して前記グラフィック画面に表示するグラフィック画面表示機能と
を備えたことを特徴とする監視制御装置。
【請求項２】
イベント履歴画面上の編集モードボタンがクリックされると前記イベント履歴画面上に表示中のイベント履歴データをイベント履歴データ一覧として表示し、前記イベント履歴データ一覧においてデータが編集されて保存ボタンがクリックされると編集されたイベント履歴データを含む変更要求を出力するイベント履歴画面表示機能をさらに備え、
前記統合データサーバは、前記変更要求を仲介して前記イベント履歴サーバへ送り、
前記イベント履歴サーバは、前記変更要求に従って前記イベント履歴データベースを書き換える
ことを特徴とする請求項１記載の監視制御装置。
【請求項３】
トレンドグラフ画面上の編集モードボタンがクリックされると前記トレンドグラフ画面上に表示中のトレンドデータをトレンドデータ一覧として表示し、前記トレンドデータ一覧においてデータが編集されて保存ボタンがクリックされると編集されたトレンドデータを含む変更要求を出力するトレンドグラフ画面表示機能をさらに備え、
前記統合データサーバは、前記変更要求を仲介して前記トレンドサーバへ送り、
前記トレンドサーバは、前記変更要求に従って前記トレンドデータベースを書き換える
ことを特徴とする請求項１記載の監視制御装置。
【請求項４】
プラントで発生した状態変化を収集して出力するリアルタイムデータサーバと、
状態変化に対応する運転ガイダンス情報を格納する運転支援データベースと、
前記運転支援データベースを管理し、切り替え値「運転ガイダンス」を含む運転支援モード切替指令に従って前記リアルタイムデータサーバからの状態変化に対応する運転ガイダンス情報を前記運転支援データベースから取得して出力する運転支援サーバと、
前記切り替え値「運転ガイダンス」を含む運転支援モード切替指令を仲介して前記運転支援サーバへ送る統合データサーバと、
グラフィック画面上の運転支援モード切替ボタンがクリックされて運転支援モードが運転ガイダンスに切り替えられると、前記切り替え値「運転ガイダンス」を含む運転支援モード切替指令を前記統合データサーバを通じて前記運転支援サーバへ出力し、前記運転支援サーバから前記統合データサーバを通じて前記状態変化に対応する運転ガイダンス情報を取得して前記グラフィック画面に表示するグラフィック画面表示機能と
を備えたことを特徴とする監視制御装置。
【請求項５】
運転支援ＤＢ編集画面上の編集モードボタンがクリックされるとＤＢ内容取得要求を出力して前記運転支援データベースから取得した状態変化に対応する運転ガイダンス情報の一覧を表示し、前記運転ガイダンス情報一覧においてデータが編集されて保存ボタンがクリックされると運転ガイダンス情報の編集結果を出力する運転支援ＤＢ編集画面表示機能をさらに備え、
前記統合データサーバは、前記ＤＢ内容取得要求、及び前記編集結果を仲介して前記運転支援サーバへ送るとともに、前記状態変化に対応する運転ガイダンス情報を仲介して前記運転支援ＤＢ編集画面表示機能へ送り、
前記運転支援サーバは、前記ＤＢ内容取得要求に従って前記運転支援データベースから前記状態変化に対応する運転ガイダンス情報を取得するとともに、前記編集結果に従って前記運転支援データベースを書き換える
ことを特徴とする請求項４記載の監視制御装置。
【請求項６】
プラントで発生した状態変化を収集して出力するリアルタイムデータサーバと、
イベント履歴データを格納するイベント履歴データベースと、
トレンドデータを格納するトレンドデータベースと、
前記イベント履歴データベースを管理し、検索要求に従って前記イベント履歴データベースから過去に同じ状態変化が発生した時刻を検索してその検索結果を出力し、プレイバック開始指令に従って前記イベント履歴データベースから前記イベント履歴データを取得するイベント履歴サーバと、
前記トレンドデータベースを管理し、前記プレイバック開始指令に従って前記トレンドデータベースから前記トレンドデータを取得するトレンドサーバと、
切り替え値「自動プレイバック」を含む運転支援モード切替指令に従って前記リアルタイムデータサーバからの状態変化に対して、過去に同じ状態変化が発生した時刻の検索要求を出力する運転支援サーバと、
前記切り替え値「自動プレイバック」を含む運転支援モード切替指令を仲介して前記運転支援サーバへ送り、前記検索要求を仲介して前記イベント履歴サーバへ送り、前記検索要求に対する検索結果に基づいて開始時刻を含む前記プレイバック開始指令を前記イベント履歴サーバ及び前記トレンドサーバへ送る統合データサーバと、
グラフィック画面上の運転支援モード切替ボタンがクリックされて運転支援モードが自動プレイバックに切り替えられると、前記切り替え値「自動プレイバック」を含む運転支援モード切替指令を前記統合データサーバを通じて前記運転支援サーバへ出力し、前記統合データサーバ、前記イベント履歴サーバ、及び前記トレンドサーバを通じて前記イベント履歴データベース、及び前記トレンドデータベースから前記開始時刻以降のイベント履歴データ、及びトレンドデータを取得して前記グラフィック画面に表示するグラフィック画面表示機能と
を備えたことを特徴とする監視制御装置。
【請求項７】
前記統合データサーバは、前記イベント履歴サーバからの検索結果に基き、同一状態変化が複数回発生している場合には、前記トレンドサーバから各発生時刻毎の全プラントデータを取得するとともに、前記リアルタイムデータサーバから現在の全プラントデータを取得し、両者を比較して最も類似しているプラントデータの時刻をプレイバック開始時刻とし、この開始時刻を含むプレイバック開始指令を前記イベント履歴サーバ及び前記トレンドサーバへ出力する
ことを特徴とする請求項６記載の監視制御装置。
【発明の詳細な説明】
【０００１】
【発明の属する技術分野】
この発明は、画面上で上下水処理プラント等、各種プラントの監視制御を行う監視制御装置に関するものである。特に、プラント監視における運転支援機能を有する監視制御装置に関するものである。
【０００２】
【従来の技術】
従来の監視制御装置について図面を参照しながら説明する。図１６は、従来の監視制御装置の構成を示す図である。
【０００３】
図１６において、１はグラフィック画面（表示機能）、２はイベント履歴画面（表示機能）、３はトレンドグラフ画面（表示機能）、４はイベント履歴サーバ、５はトレンドサーバ、６はイベント履歴データベース（ＤＢ）、７はトレンドデータベース（ＤＢ）、８はリアルタイムデータサーバ、９は上下水処理プラント等のプラントを示す。また、１００は監視制御装置であり、グラフィック画面（表示機能）１〜リアルタイムデータサーバ８は、それぞれ監視制御装置１００内のソフトウエアで構成されている。
【０００４】
つぎに、従来の監視制御装置の動作について図面を参照しながら説明する。
【０００５】
通常時のプラント監視は、プラント９の監視対象である機器、および計測値をシンボル化して表示したグラフィック画面１で行っている。このグラフィック画面１には、プラント９の現状の計測値、または状態などが表示されている。プラント９の機器の操作、および数値設定も、グラフィック画面１より行う。
【０００６】
また、プラント９で異常などの状態変化が発生すると、イベント履歴画面２で、どのような状態変化が発生したかを監視することができる。
【０００７】
さらに、トレンドグラフ画面３では、プラント９の定周期の計測値、または状態のデータを過去に遡って表示することができる。
【０００８】
グラフィック画面１には、上述したように、プラント９の現在の状態が表示される。このグラフィック画面１の表示時の動作は、以下のようになる。
【０００９】
グラフィック画面１を表示するときは、まず、グラフィック画面表示機能１は、表示を行うデータをリアルタイムデータサーバ８に要求し、このリアルタイムデータサーバ８がプラント９からデータを収集する（ステップＳＴ９０１）。
【００１０】
そして、リアルタイムデータサーバ８は、グラフィック画面表示機能１へ収集したデータを返す（ステップＳＴ９０２）。
【００１１】
プラント９においてアラームや状態変化が起こった場合は、リアルタイムデータサーバ８は、プラント９からアラームや状態変化のデータを受け取る。
【００１２】
次に、イベント履歴サーバ４は、リアルタイムデータサーバ８からアラーム、状態変化データを収集する（ステップＳＴ９０３）。このイベント履歴サーバ４は、収集したアラーム、状態変化データを、イベント履歴ＤＢ６へ格納する。
【００１３】
また、イベント履歴サーバ４は、イベント履歴画面表示機能２からの要求により、イベント履歴ＤＢ６からイベント履歴データを収集して、イベント履歴画面表示機能２へ返す（ステップＳＴ９０４）。以上の方法により、イベント履歴画面２にイベントの履歴を表示することができる。
【００１４】
また、リアルタイムデータサーバ８は、定周期でプラント９から計測値を収集し（ステップＳＴ９０ｌ）、さらに、トレンドサーバ５は、それらのデータを収集する（ステップＳＴ９０５）。このトレンドサーバ５は、収集したトレンドデータを、トレンドＤＢ７へ格納する。
【００１５】
また、トレンドサーバ５は、トレンドグラフ画面表示機能３からの要求により、トレンドＤＢ７からトレンドデータを収集して、トレンドグラフ画面表示機能３へ返す（ステップＳＴ９０６）。以上の方法により、トレンドグラフ画面３にトレンドデータを表示することができる。
【００１６】
また、プラント９の機器の操作及び数値設定を行う場合は、グラフィック画面表示機能１は、リアルタイムデータサーバ８に対して、操作／設定要求を出し（ステップＳＴ９０７）、このリアルタイムデータサーバ８は、プラント９に対して操作／設定を行う（ステップＳＴ９０８）。
【００１７】
【発明が解決しようとする課題】
上述したような従来の監視制御装置では、イベント履歴データ、トレンドデータは、それぞれイベント履歴画面２、トレンドグラフ画面３といった別々の画面上で参照されており、それぞれを関連付けて参照することが困難であった。このため、プラント９に異常が発生した際、過去の操作履歴やそのときのプラント９の状態の推移を参考に処置を行う、といった方法もとれず、その処置は操作員の経験に頼っていた。さらに、プラント９での異常に対して、適切な操作を行えるようになるためには、長期間の操作経験と、異常発生時の処置に関する膨大なマニュアルを理解する必要があり、容易ではなかった。
【００１８】
また、このような問題点に対して、例えば特開平０２−０１５３０７号公報に記載された「プラント運転支援装置」では、プラントで発生した異常に対してガイダンスメッセージと共に、操作すべき機器やシンボルを表示する機能があるが、下記のような問題点があった。操作すべきシンボルは明示されるが、そのシンボルについて、どのような操作や設定値を行うかをガイダンスメッセージに基づいて操作員が考えて決める必要がある。操作や設定値がガイダンスメッセージに示されている場合も、そのメッセージに基づいて、操作や設定値を画面に入力する手順が必要となり、処置までに時間を要する。
【００１９】
また、特開平１１−３２７６２７号公報に記載された「プラント監視制御装置」では、蓄積した過去データを用いて、過去の同一操作／設定の履歴のリストと、それぞれのプラントの状態推移を参照することはできるが、下記のような問題点があった。操作／設定の様子を一覧で参照できるのみであり、実際に制御ウィンドウを用いて、どのような操作／設定値で、どのような間隔を空けて実施したかを把握することが困難である。また、操作／設定とそのときのプラントの状態推移は、異常に対する処置として常に最適とは限らない（一部誤った操作を行っている場合もある）。つまり、過去事例として参考にできない場合もある。
【００２０】
また、特開平０９−０８１２３３号公報に記載された「監視制御支援装置」では、異常発生時の画像、音声のプレイバックが可能であるが、下記のような問題点があった。異常ではなく、運転のＯＮ／ＯＦＦなどの通常の状態変化発生時のプレイバックができない。
【００２１】
さらに、特開平１０−１７１５３１号公報に記載された「プラント監視表示機能」では、画面上に配置されたポイントのプレイバック機能を持つが、下記のような問題点があった。各機器に対する操作と、各計測値に対する設定手順を含めたプレイバックは不可能である。
【００２２】
この発明は、前述した問題点を解決するためになされたもので、以下の機能を有する監視制御装置を得ることを目的とする。
【００２３】
過去の制御ウィンドウによる操作／設定の状況、そのときのプラント状態の推移と、アラーム、ガイダンス、操作履歴などのメッセージ一覧と、計装機能等をグラフィック画面上でプレイバック表示する『プレイバック機能』を監視制御装置は有する。
【００２４】
また、必要であれば、過去の操作／設定と、そのときのプラント状態の推移をイベント履歴画面やトレンドグラフ画面上より編集でき、過去事例として参考にできない操作などを変更することなどにより、経験の浅い操作員の訓練教材として最適化できる『過去データ編集機能』を監視制御装置は有する。
【００２５】
また、プラントにおいて異常等、状態変化が発生した場合、運転支援ＤＢに蓄積されたガイダンス情報（操作／設定アクション等）に基づき、ガイダンスを表示すると共に、操作に必要なシンボルについて制御ウィンドウが自動で表示され、その中に必要な操作／設定値が既に入力済みとなっている『運転ガイダンズ機能』を監視制御装置は有する。なお、操作が複数ステップとなる場合は、順次、操作／設定アクション等がセットされた制御ウィンドウが自動表示される上記運転ガイダンズ機能を監視制御装置は有する。
【００２６】
また、運転支援ＤＢの内容を運転支援ＤＢ編集画面上で編集できる『運転支援ＤＢ編集機能』を監視制御装置は有する。
【００２７】
さらに、プラントにおいて異常等、状態変化が発生した場合、イベント履歴ＤＢ、トレンドＤＢ、運転支援ＤＢから、その状態変化について、過去に同一状態変化に対する処置方法がないか検索し、あれば、そのときの操作／設定の様子と、プラントの状態推移と、アラーム、ガイダンス、操作履歴などのメッセージ一覧と、計装機能等をグラフィック画面上で自動プレイバック表示する『自動プレイバック機能』を監視制御装置は有する。
【００２８】
【課題を解決するための手段】
この発明に係る監視制御装置は、イベント履歴データを格納するイベント履歴データベースと、トレンドデータを格納するトレンドデータベースと、前記イベント履歴データベースを管理し、プレイバック開始指令に従って前記イベント履歴データベースから前記イベント履歴データを取得するイベント履歴サーバと、前記トレンドデータベースを管理し、前記プレイバック開始指令に従って前記トレンドデータベースから前記トレンドデータを取得するトレンドサーバと、前記プレイバック開始指令を仲介して前記イベント履歴サーバ及び前記トレンドサーバへ送る統合データサーバと、グラフィック画面上のプレイバックボタンがクリックされると前記グラフィック画面上にプレイバック開始ウィンドウを表示し、前記プレイバック開始ウィンドウにおいて開始時刻が入力されて再生開始ボタンがクリックされると前記開始時刻を含む前記プレイバック開始指令を出力し、前記統合データサーバ、前記イベント履歴サーバ、及び前記トレンドサーバを通じて前記イベント履歴データベース、及び前記トレンドデータベースから前記開始時刻以降のイベント履歴データ、及びトレンドデータを取得して前記グラフィック画面に表示するグラフィック画面表示機能とを備えたものである。
【００２９】
また、この発明に係る監視制御装置は、イベント履歴画面上の編集モードボタンがクリックされると前記イベント履歴画面上に表示中のイベント履歴データをイベント履歴データ一覧として表示し、前記イベント履歴データ一覧においてデータが編集されて保存ボタンがクリックされると編集されたイベント履歴データを含む変更要求を出力するイベント履歴画面表示機能をさらに備え、前記統合データサーバは、前記変更要求を仲介して前記イベント履歴サーバへ送り、前記イベント履歴サーバは、前記変更要求に従って前記イベント履歴データベースを書き換えるものである。
【００３０】
また、この発明に係る監視制御装置は、トレンドグラフ画面上の編集モードボタンがクリックされると前記トレンドグラフ画面上に表示中のトレンドデータをトレンドデータ一覧として表示し、前記トレンドデータ一覧においてデータが編集されて保存ボタンがクリックされると編集されたトレンドデータを含む変更要求を出力するトレンドグラフ画面表示機能をさらに備え、前記統合データサーバは、前記変更要求を仲介して前記トレンドサーバへ送り、前記トレンドサーバは、前記変更要求に従って前記トレンドデータベースを書き換えるものである。
【００３１】
この発明に係る監視制御装置は、プラントで発生した状態変化を収集して出力するリアルタイムデータサーバと、状態変化に対応する運転ガイダンス情報を格納する運転支援データベースと、前記運転支援データベースを管理し、切り替え値「運転ガイダンス」を含む運転支援モード切替指令に従って前記リアルタイムデータサーバからの状態変化に対応する運転ガイダンス情報を前記運転支援データベースから取得して出力する運転支援サーバと、前記切り替え値「運転ガイダンス」を含む運転支援モード切替指令を仲介して前記運転支援サーバへ送る統合データサーバと、グラフィック画面上の運転支援モード切替ボタンがクリックされて運転支援モードが運転ガイダンスに切り替えられると、前記切り替え値「運転ガイダンス」を含む運転支援モード切替指令を前記統合データサーバを通じて前記運転支援サーバへ出力し、前記運転支援サーバから前記統合データサーバを通じて前記状態変化に対応する運転ガイダンス情報を取得して前記グラフィック画面に表示するグラフィック画面表示機能とを備えたものである。
【００３２】
また、この発明に係る監視制御装置は、運転支援ＤＢ編集画面上の編集モードボタンがクリックされるとＤＢ内容取得要求を出力して前記運転支援データベースから取得した状態変化に対応する運転ガイダンス情報の一覧を表示し、前記運転ガイダンス情報一覧においてデータが編集されて保存ボタンがクリックされると運転ガイダンス情報の編集結果を出力する運転支援ＤＢ編集画面表示機能をさらに備え、前記統合データサーバは、前記ＤＢ内容取得要求、及び前記編集結果を仲介して前記運転支援サーバへ送るとともに、前記状態変化に対応する運転ガイダンス情報を仲介して前記運転支援ＤＢ編集画面表示機能へ送り、前記運転支援サーバは、前記ＤＢ内容取得要求に従って前記運転支援データベースから前記状態変化に対応する運転ガイダンス情報を取得するとともに、前記編集結果に従って前記運転支援データベースを書き換えるものである。
【００３３】
この発明に係る監視制御装置は、プラントで発生した状態変化を収集して出力するリアルタイムデータサーバと、イベント履歴データを格納するイベント履歴データベースと、トレンドデータを格納するトレンドデータベースと、前記イベント履歴データベースを管理し、検索要求に従って前記イベント履歴データベースから過去に同じ状態変化が発生した時刻を検索してその検索結果を出力し、プレイバック開始指令に従って前記イベント履歴データベースから前記イベント履歴データを取得するイベント履歴サーバと、前記トレンドデータベースを管理し、前記プレイバック開始指令に従って前記トレンドデータベースから前記トレンドデータを取得するトレンドサーバと、切り替え値「自動プレイバック」を含む運転支援モード切替指令に従って前記リアルタイムデータサーバからの状態変化に対して、過去に同じ状態変化が発生した時刻の検索要求を出力する運転支援サーバと、前記切り替え値「自動プレイバック」を含む運転支援モード切替指令を仲介して前記運転支援サーバへ送り、前記検索要求を仲介して前記イベント履歴サーバへ送り、前記検索要求に対する検索結果に基づいて開始時刻を含む前記プレイバック開始指令を前記イベント履歴サーバ及び前記トレンドサーバへ送る統合データサーバと、グラフィック画面上の運転支援モード切替ボタンがクリックされて運転支援モードが自動プレイバックに切り替えられると、前記切り替え値「自動プレイバック」を含む運転支援モード切替指令を前記統合データサーバを通じて前記運転支援サーバへ出力し、前記統合データサーバ、前記イベント履歴サーバ、及び前記トレンドサーバを通じて前記イベント履歴データベース、及び前記トレンドデータベースから前記開始時刻以降のイベント履歴データ、及びトレンドデータを取得して前記グラフィック画面に表示するグラフィック画面表示機能とを備えたものである。
【００３４】
また、この発明に係る監視制御装置は、前記統合データサーバが、前記イベント履歴サーバからの検索結果に基き、同一状態変化が複数回発生している場合には、前記トレンドサーバから各発生時刻毎の全プラントデータを取得するとともに、前記リアルタイムデータサーバから現在の全プラントデータを取得し、両者を比較して最も類似しているプラントデータの時刻をプレイバック開始時刻とし、この開始時刻を含むプレイバック開始指令を前記イベント履歴サーバ及び前記トレンドサーバへ出力するものである。
【００３５】
【発明の実施の形態】
実施の形態１．
この発明の実施の形態１に係る監視制御装置について図面を参照しながら説明する。この実施の形態１に係る監視制御装置は、プラントの状態及び計測値の過去データと、過去のある時点で行っていた操作をグラフィック画面上でプレイバック表示する『プレイバック機能』を備えたものである。「プレイバック」とは、過去の一定期間の状態を、時間の流れる速さを変えずに再生することをいう。
【００３６】
図１は、この発明の実施の形態１に係る監視制御装置の構成を示す図である。なお、各図中、同一符号は同一又は相当部分を示す。
【００３７】
図１において、１はプラントの状態表示と機器操作およびアナログ値設定を行うグラフィック画面（表示機能）、２はイベント履歴画面（表示機能）、３はトレンドグラフ画面（表示機能）、１０は運転支援ＤＢ編集画面（表示機能）である。これらのグラフィック画面１、イベント履歴画面２、トレンドグラフ画面３、及び運転支援ＤＢ編集画面１０の各画面は、統合データサーバ１１を介して、イベント履歴サーバ４、トレンドサーバ５、及び運転支援サーバ１２にアクセスする。
【００３８】
また、同図において、イベント履歴サーバ４は、イベント履歴データベース（ＤＢ）６からイベント履歴データを取得する。また、トレンドサーバ５は、トレンドデータベース（ＤＢ）７からトレンドデータを取得する。さらに、運転支援サーバ１２は、運転支援データベース（ＤＢ）１３から運転支援データを取得する。また、１００Ａは監視制御装置であり、プラント９を除き、グラフィック画面（表示機能）１〜リアルタイムデータサーバ８、及び運転支援ＤＢ編集画面（表示機能）１０〜運転支援ＤＢ１３は、それぞれ監視制御装置１００内のソフトウエアである。
【００３９】
図２は、この発明の実施の形態１に係る監視制御装置のイベント履歴ＤＢのデータベース構造を示す図である。
【００４０】
イベント履歴画面２上では、例えば『ＸＸポンプ故障』のように、具体的な信号名称が表示されるが、イベント履歴ＤＢ６の中では、「発生時刻」と、「ＴＡＧ」と、ＯＮ／ＯＦＦ等の「値」で格納されている。このイベント履歴ＤＢ６には、プラント９での状態変化発生時、及びグラフィック画面１からの操作設定時に、それらの変化の履歴が蓄積される。
【００４１】
図３は、この発明の実施の形態１に係る監視制御装置のトレンドＤＢのデータベース構造を示す図である。
【００４２】
トレンドグラフ画面３上では、例えば『ろ過池水位』のように、具体的な信号名称が表示されるが、トレンドＤＢ７の中では、「ＴＡＧ」と、「時刻」と、その時刻の「値」が格納されている。このトレンドＤＢ７には、一定周期毎にプラント９の計測値が蓄積される。
【００４３】
図４は、この発明の実施の形態１に係る監視制御装置の運転支援ＤＢのデータベース構造を示す図である。
【００４４】
この運転支援ＤＢ１３は、ある「タグ」の「状態変化」に対応する「操作／設定アクション」（運転ガイダンス情報）を格納する。
【００４５】
図５、図６、図７、及び図８は、この発明の実施の形態１に係る監視制御装置のグラフィック画面、イベント履歴画面、トレンドグラフ画面、及び運転支援ＤＢ編集画面の具体例を、それぞれ示す図である。
【００４６】
図５に示すグラフィック画面１上の制御ウィンドウ１４は、操作または設定を行いたいプラントの機器および数値をクリックすることにより、同画面上に表示される。このグラフィック画面１上の機器や計測値には、各々にシンボルＩＤが付与されており、ユニークに識別される。
【００４７】
また、図６、図７、及び図８に示す１５、１６、及び１７は、それぞれ、イベント履歴画面２、トレンドグラフ画面３、及び運転支援ＤＢ編集画面１０の『編集モード』切替ボタンである。
【００４８】
図６に示すイベント履歴画面２の『編集モード』切替ボタン１５をクリックすると、イベント履歴データ一覧１８が表示される。このイベント履歴データ一覧１８内のイベントの時刻、またはイベント発生の値の編集が可能となり、『保存』ボタン２３をクリックすると、入力された内容でイベント履歴ＤＢ６が書き換えられる。
【００４９】
また、図７に示すトレンドグラフ画面３の『編集モード』切替ボタン１６をクリックすると、トレンドグラフ上に表示しているデータを表形式で表示する、トレンドデータ一覧１９が表示される。このトレンドデータ一覧１９の表内に数値を入力し、画面上の『保存』ボタン２４をクリックすると、入力された内容でトレンドＤＢ７の値が書き換えられる。
【００５０】
さらに、図８に示す運転支援ＤＢ編集画面１０の『編集モード』切替ボタン１７をクリックすると、運転支援ＤＢ１３の内容が表示される。操作／設定アクション欄に文字を入力し、画面上の『保存』ボタン２５をクリックすると、入力された内容で運転支援ＤＢ１３の内容が書き換えられる。なお、編集モード切替ボタン１７をクリックしなくても、この運転支援ＤＢ編集画面１０を選択すると、編集モードへ移行してもよい。また、この運転支援ＤＢ編集画面１０の右側のスクロールバーを操作することにより、運転支援ＤＢ１３の全ての内容を参照することができる。
【００５１】
つぎに、この実施の形態１に係る監視制御装置の動作について図面を参照しながら説明する。
【００５２】
図９は、この発明の実施の形態１に係る監視制御装置のグラフィック画面表示動作を示す図である。
【００５３】
まず、グラフィック画面表示機能１は、統合データサーバ１１へプラント９のデータ収集の要求を発行する（ステップＳＴ１０１）。
【００５４】
次に、統合データサーバ１１は、グラフィック画面表示機能１のデータ収集の要求（ステップＳＴ１０１）を受け、リアルタイムデータサーバ８へデータ収集の要求を発行する（ステップＳＴ１０２）。
【００５５】
次に、リアルタイムデータサーバ８は、統合データサーバ１１のデータ収集の要求（ステップＳＴ１０２）を受けて、プラント９から実際のデータを収集する（ステップＳＴ１０３）。
【００５６】
次に、リアルタイムデータサーバ８は、プラント９から収集した実際のデータを統合データサーバ１１へ返す（ステップＳＴ１０４）。
【００５７】
次に、統合データサーバ１１は、リアルタイムデータサーバ８から返された実際のデータをグラフィック画面表示機能１へ返す（ステップＳＴ１０５）。
【００５８】
最後に、グラフィック画面表示機能１は、統合データサーバ１１から送られてきたプラント９の実際のデータを表示する。
【００５９】
グラフィック画面１上で、操作、または設定を行いたいプラント９の機器シンボル、または数値シンボルをクリックすると、図５に示すように、制御ウィンドウ１４が表示される。この制御ウィンドウ１４で操作、または設定アクションを入力し、『送信』ボタン（図示せず）をクリックすることにより送信を行うと、グラフィック画面表示機能１は、統合データサーバ１１と、リアルタイムデータサーバ８を介して、プラント９の機器に対して操作、または設定を行う。このとき、操作、または設定を行ったという情報は、統合データサーバ１１を介して、イベント履歴サーバ４により、イベント履歴ＤＢ６に蓄積される。
【００６０】
イベント履歴画面２を表示する場合は、イベント履歴画面表示機能２は、統合データサーバ１１を介して、イベント履歴サーバ４により、イベント履歴ＤＢ６からイベント履歴データを取得して表示を行う。
【００６１】
また、トレンドグラフ画面３を表示する場合は、トレンドグラフ画面表示機能３は、統合データサーバ１１を介して、トレンドサーバ５により、トレンドＤＢ７からトレンドデータを取得して表示を行う。
【００６２】
図１０は、この発明の実施の形態１に係る監視制御装置のプレイバック機能の動作を示す図である。
【００６３】
図５に示すように、グラフィック画面１上に表示される『プレイバック』ボタン２０をクリックすることにより、プレイバック開始ウィンドウ２１が表示される。プレイバック機能の操作は、グラフィック画面１上に表示される『プレイバック』ボタン２０のクリックから開始する。
【００６４】
プレイバック機能における動作を、図１０を用いて説明する。操作員がグラフィック画面１上の『プレイバック』ボタン２０をクリックすると、グラフィック画面表示機能１は、グラフィック画面１上にプレイバック開始ウィンドウ２１を表示する。
【００６５】
次に、操作員がグラフィック画面１上のプレイバック開始ウィンドウ２１において、開始時刻を入力し、プレイバック開始ウィンドウ２１内の再生開始ボタン（テープレコーダの再生ボタンと同じシンボルのボタン）をクリックすると、グラフィック画面表示機能１は、統合データサーバ１１へプレイバック開始指令（入力された開始時刻を含む。）を送る（ステップＳＴ１５１）。
【００６６】
次に、統合データサーバ１１は、プレイバック開始指令をイベント履歴サーバ４とトレンドサーバ５へ送る（ステップＳＴ１５２、ＳＴ１５３）。
【００６７】
次に、イベント履歴サーバ４と、トレンドサーバ５は、それぞれ、プレイバック開始指令で指定された開始時刻以降のイベント履歴データ、トレンドデータをイベント履歴ＤＢ６、トレンドＤＢ７から取得して、統合データサーバｌｌへ返す（ステップＳＴ１５４、ＳＴ１５５）。
【００６８】
次に、統合データサーバｌｌは、プレイバック開始時刻以降のイベント履歴データ、トレンドデータをグラフィック画面表示機能１へ返す（ステップＳＴ１５６、ＳＴ１５７）。
【００６９】
そして、グラフィック画面表示機能１は、プラント９の状態表示を、プレイバック開始時刻を指定された時刻から実際の時間の経過に合わせて進める。
【００７０】
上記のステップＳＴ１５４において、イベント履歴サーバ４は、イベント履歴ＤＢ６中に、再生時間に対応する数値設定操作履歴、機器設定操作履歴が見つかるたびに応答する。また、上記のステップＳＴ１５５において、トレンドサーバ５は、トレンドＤＢ７中のトレンドデータを定周期毎に応答する。
【００７１】
図５に示すように、グラフィック画面１上で、機器等のシンボルの表示更新や、制御ウィンドウ１４での操作、設定が、プレイバック開始ウィンドウ２１内に表示されている時間に合わせてプレイバック表示される。同様にして、コントロールパネルを表示する計装画面においても、設定値、操作値、現在値などのプレイバック表示が可能である。
【００７２】
以上より、過去の操作、設定とそのときのプラントの状態推移を、操作員の指定する任意の時刻よりプレイバック表示可能となる。これにより、例えば、過去に発生したプラントの異常と、異常が発生した場合の処置（機器操作および数値設定）と、プラントの状態の推移を容易に参照可能となり、同様の異常が発生した場合に経験の浅い操作員の教材とすることができる。
【００７３】
従来の監視制御装置では、適切な操作を行うために、長期間の経験が必要であったが、この実施の形態１に係る監視制御装置では、過去に発生したプラント９の異常と、異常が発生した場合の機器操作および数値設定が任意に参照可能となるため、経験の浅い操作員でも、容易に同様の操作を行うことが可能となる。また、従来の監視制御装置では、適切な操作を行うことができるようになるために長期間の操作が必要であったが、この実施の形態１に係る監視制御装置では、経験の長い操作員と同様の操作を容易に行うことができる。さらに、各機器に対する操作および各計測値に対する設定手順である、操作ウィンドウを表示することができる。
【００７４】
実施の形態２．
この発明の実施の形態２に係る監視制御装置について図面を参照しながら説明する。この発明の実施の形態２に係る監視制御装置は、上記プレイバック機能で用いる過去データを画面より編集可能とする『過去データ編集機能』を備えたものである。
【００７５】
この発明の実施の形態２に係る監視制御装置の構成は、上記実施の形態１と同様である。
【００７６】
つぎに、この実施の形態２に係る監視制御装置の動作について図面を参照しながら説明する。
【００７７】
図６に示すイベント履歴画面２は、『編集モード』切替ボタン１６がクリックされることにより、編集モードに変わり、表示中のイベント履歴データをイベント履歴データ一覧１８として表形式で表示する。この表内で値を編集（変更）し、『保存』ボタン２３がクリックされると、イベント履歴ＤＢ６が書き換えられる。
【００７８】
また、図７に示すトレンドグラフ画面３は、『編集モード』切替ボタン１７がクリックされることにより、編集モードに変わり、表示中のトレンドデータをトレンドデータ一覧１９として表形式で表示する。この表内で値を編集（変更）し、『保存』ボタン２４がクリックされると、トレンドＤＢ７が書き換えられる。
【００７９】
以上のように、イベント履歴ＤＢ６、トレンドＤＢ７に格納されたデータを編集することができる。
【００８０】
図１１は、この発明の実施の形態２に係る監視制御装置の過去データ編集機能の動作を示す図である。
【００８１】
イベント履歴ＤＢ６、トレンドＤＢ７の編集時の動作を、図１１に基づき説明する。
【００８２】
イベント履歴データが上記の手順により編集される場合、まず、イベント履歴画面表示機能２は、保存ボタン２３がクリックされると、統合データサーバ１１に対して、編集（変更）されたイベント履歴データとともに変更要求を出力する（ステップＳＴ２０１）。
【００８３】
次に、統合データサーバ１１は、イベント履歴画面表示機能２からの変更要求を受けて、イベント履歴サーバ４へイベント履歴ＤＢ６内のデータの書き換えを要求して編集（変更）されたイベント履歴データを出力する（ステップＳＴ２０２）。
【００８４】
そして、イベント履歴サーバ４は、このデータの書き換え要求を受けて、送られてきた編集（変更）されたイベント履歴データでイベント履歴ＤＢ６の内容を書き換える。
【００８５】
また同様に、トレンドデータが上記の手順により編集される場合、まず、トレンドグラフ画面表示機能３は、保存ボタン２４がクリックされると、統合データサーバ１１に対して、編集（変更）されたトレンドデータとともに変更要求を出力する（ステップＳＴ２０３）。
【００８６】
次に、統合データサーバ１１は、トレンドサーバ５へトレンドＤＢ７内のデータの書き換えを要求して編集（変更）されたトレンドデータを出力する（ステップＳＴ２０４）。
【００８７】
そして、トレンドサーバ５は、このデータの書き換え要求を受けて、送られてきた編集（変更）されたトレンドデータでトレンドＤＢ７の内容を書き換える。
【００８８】
この手順により、イベント履歴ＤＢ６、及びトレンドＤＢ７内の過去データ編集が可能となる。
【００８９】
以上の手順により編集されたイベント履歴データ、トレンドデータは、それぞれ、編集（変更）したデータを蓄積するイベント履歴ダミーＤＢ６Ａ、トレンドダミーＤＢ７Ａを用意することにより、イベント履歴ＤＢ６、トレンドＤＢ７のマスタデータベースとは別のデータベースとして保存することも可能である。
【００９０】
この時、上記のステップＳＴ２０２、ステップＳＴ２０４以降の動作については、イベント履歴サーバ４、トレンドサーバ５は、それぞれ、イベント履歴ダミーＤＢ６Ａ、トレンドダミーＤＢ７Ａの内容を書き換えることになる。
【００９１】
以上により、イベント履歴ＤＢ６、トレンドＤＢ７に蓄積されているデータが、監視制御装置の画面上より編集可能となる。これにより、例えば、異常発生時の過去の操作および設定が、経験の浅い操作員には複雑すぎる場合、過去データを編集して簡略化し、研修用教材として最適化することが可能である。
【００９２】
この実施の形態２に係る監視制御装置は、上記実施の形態１に係る監視制御装置で参照可能としている過去のデータを編集できる機能を持つため、過去の操作履歴を簡略化するなど、操作員の研修用教材として最適化することができる。従来の監視制御装置のプレイバック機能では、誤った操作を行っている場合でも、実際に行った手順でしか再生されなかったが、この実施の形態２に係る監視制御装置では、最適な操作方法をプレイバック表示させることができる。
【００９３】
実施の形態３．
この発明の実施の形態３に係る監視制御装置について図面を参照しながら説明する。この発明の実施の形態３に係る監視制御装置は、機器の故障、上下限値異常、機器の運転など、ディジタル信号として現場より送信される、プラント９の状態変化が発生すると、運転支援ＤＢ１３に蓄積された情報に基づき、その状態変化に応じて、必要な操作、設定値が予めセットされた制御ウィンドウ１４が自動表示される『運転ガイダンス機能』を備えたものである。操作員は、画面上で内容を確認し実行する操作が複数ステップとなる場合は、順次、操作、設定値がセットされた制御ウィンドウ１４が自動表示される。
【００９４】
この発明の実施の形態３に係る監視制御装置の構成は、上記実施の形態１と同様である。
【００９５】
つぎに、この実施の形態３に係る監視制御装置の動作について図面を参照しながら説明する。
【００９６】
この実施の形態３では、プラント９に状態変化が発生した際、予め運転支援ＤＢ１３に格納されたデータに基づき、適切な処置を制御ウィンドウ１４の形式で表示する。
【００９７】
図１２は、この発明の実施の形態３に係る監視制御装置の運転ガイダンス機能の動作を示す図である。
【００９８】
まず、図５において、プラント９の操作員は、グラフィック画面１上の『運転支援モード』切替ボタン２２をクリックすることにより、運転支援モードを『運転ガイダンス』モードに切り替える。この『運転支援モード』切替ボタン２２は、表示されているモードが最新モードであり、ボタン２２のクリック毎に切り替わり、『運転ガイダンス』以外に、後で説明する『自動プレイバック』と、『通常』の３つのモードがある。
【００９９】
運転支援モード切替ボタン２２が『運転ガイダンス』モードに切り替えられると、図１２に示すように、グラフィック画面表示機能１は、運転支援モード切替指令を、切り替え値「運転ガイダンスモード」と共に、統合データサーバ１１へ送る（ステップＳＴ３０１）。
【０１００】
次に、統合データサーバ１１は、運転支援モード切替指令を運転支援サーバ１２へ送る（ステップＳＴ３０２）。この運転支援サーバ１２は、運転支援モードデータを、送られてきた「運転ガイダンスモード」に書き換える。
【０１０１】
プラント９において、状態変化が発生すると、アラームを含む状態変化データがプラント９からリアルタイムデータサーバ８へ上がる（ステップＳＴ３０３）。
【０１０２】
その後、リアルタイムデータサーバ８は、状態変化データを運転支援サーバ１２へ上げる（ステップＳＴ３０４）。この運転支援サーバ１２は、運転支援モードデータをチェックし、その値が「運転ガイダンスモード」の場合のみ、以下の処理を行う。
【０１０３】
運転支援サーバ１２は、図４に示す運転支援ＤＢ１３内を検索し、リアルタイムデータサーバ８から受け取った状態変化に対して、操作、設定すべき機器および数値のシンボル（シンボルＩＤ）と操作値（操作アクション）、設定値（設定アクション）を決める。
【０１０４】
この運転支援ＤＢ１３は、上述したように、ある「状態変化」に対応する「操作／設定アクション」（運転ガイダンス情報）が格納されている。また、運転支援ＤＢ１３は、後述するように編集可能で、一つの状態変化に対して一つのステップ、または複数ステップの操作／設定アクションを定義することが可能である。さらに、１行に複数の状態変化を格納し、複数同時状態変化に対する操作／設定アクションを定義することも可能である。
【０１０５】
運転支援サーバ１２は、シンボルＩＤと操作、設定値（アクション）を、統合データサーバ１１を介して、グラフィック画面表示機能１へ送る（ステップＳＴ３０５〜ＳＴ３０６）。
【０１０６】
次に、グラフィック画面表示機能１は、運転支援サーバ１２から受け取ったシンボルＩＤに対応するシンボルから制御ウィンドウ１４を表示し、受け取った操作、設定値（アクション）を制御ウィンドウ１４内に表示する。
【０１０７】
プラント９で発生した状態変化について、運転支援ＤＢ１３内に複数ステップの操作／設定アクションが対応付けられている場合は、一つの操作／設定アクションが終わる度に、次のシンボルＩＤと操作／設定アクションが、運転支援サーバ１２から統合データサーバ１１を介してグラフィック画面表示機能１へ送られる（ステップＳＴ３０５〜ＳＴ３０６）。
【０１０８】
以上により、プラント９において状態変化が発生した際、処置が必要な機器に対応する機器および数値のシンボルについて、適切な操作、設定値が自動表示される。このため、例えばプラント９に異常発生時、経験の浅い操作員でも、適切な処置が間違いなく迅速にできるようになる。
【０１０９】
この実施の形態３に係る監視制御装置では、プラント９に状態変化が発生した時、操作および設定の必要な機器および計測値のシンボルについて適切な操作および設定ウィンドウ（制御ウィンドウ１４）が表示される機能（運転ガイダンス機能）を持っため、経験の浅い操作員でも、迅速に適切な処置を行うよう支援することができる。従来の監視制御装置では、必要な操作を行うために操作内容および設定値などを入力する必要があり、処置までに時間を要したが、この実施の形態３に係る監視制御装置では、迅速な処置が可能となる。
【０１１０】
実施の形態４．
この発明の実施の形態４に係る監視制御装置について図面を参照しながら説明する。この発明の実施の形態４に係る監視制御装置は、運転支援ＤＢ（状態変化と操作／設定の対応表）の内容を画面から編集できる『運転支援ＤＢ編集機能』を備えたものである。
【０１１１】
この発明の実施の形態４に係る監視制御装置の構成は、上記実施の形態１と同様である。
【０１１２】
つぎに、この実施の形態４に係る監視制御装置の動作について図面を参照しながら説明する。
【０１１３】
図１３は、この発明の実施の形態４に係る監視制御装置の運転支援ＤＢ編集機能の動作を示す図である。
【０１１４】
上記実施の形態３では、運転支援ＤＢ１３による運転ガイダンス機能について説明したが、図１３に示すように、運転支援ＤＢ１３の内容自体について、監視制御装置の画面より編集が可能である。
【０１１５】
図１３において、運転支援ＤＢ編集画面表示機能１０は、『編集モード』切替ボタン１７がクリックされると、統合データサーバ１１へＤＢ内容取得要求を発行する（ステップＳＴ４０１）。
【０１１６】
次に、統合データサーバ１１は、運転支援データサーバ１２へ、ＤＢ内容取得要求を発行する（ステップＳＴ４０２）。
【０１１７】
次に、運転支援サーバ１２は、統合データサーバ１１から受け取ったＤＢ内容取得要求に応じて、運転支援ＤＢ１３から全データを取得し、その全データ内容を統合データサーバ１１へ返す（ステップＳＴ４０３）。
【０１１８】
次に、統合データサーバ１１は、運転支援サーバ１２から取得した運転支援ＤＢ１３の全データを運転支援ＤＢ編集画面表示機能１０へ返す（ステップＳＴ４０４）。
【０１１９】
運転支援ＤＢ編集画面表示機能１０は、図８に示す運転支援ＤＢ編集画面において、操作員が運転支援ＤＢ内容のうち操作／設定アクション欄を編集（変更）して『保存』ボタン２５をクリックすると、その編集結果を統合データサーバ１１へ送る（ステップＳＴ４０５）。
【０１２０】
次に、統合データサーバ１１は、運転支援ＤＢ１３の編集結果を運転支援サーバ１２へ送る（ステップＳＴ４０６）。
【０１２１】
最後に、運転支援データサーバ１２は、統合データサーバ１１から受け取った編集結果で運転支援ＤＢ１３を書き換える。
【０１２２】
以上により、別途、専用の編集装置を設置する必要がなく、操作員は、運転支援ＤＢ１３自体を監視制御装置の画面より容易に変更できる。これにより、例えば登録している運転ガイダンス情報（操作／設定アクション）に誤りがあった場合や、よりよい処置方法が提案された場合、速やかに運転支援ＤＢ１３を修正、追加できる。その結果、プラント９での運転ノウハウが確実に、かつ、速やかに運転支援ＤＢ１３に反映できるようになる。
【０１２３】
この実施の形態４に係る監視制御装置では、上記実施の形態３で表示されるとしている操作および設定ウィンドウ（制御ウィンドウ１４）の表示内容を監視制御装置の画面上から容易に変更できるため、誤った操作を防ぎ、確実な処置を行うよう支援することができる。従来の監視制御装置では、最適でない操作を行っている場合でも、実際に行った操作および設定内容でのガイダンス表示が行われていたが、この実施の形態４に係る監視制御装置では、最適な操作および設定内容でのガイダンス表示が可能となる。
【０１２４】
実施の形態５．
この発明の実施の形態５に係る監視制御装置について図面を参照しながら説明する。この発明の実施の形態５に係る監視制御装置は、プラントで状態変化（機器の故障、計測値の上下限値異常、機器の運転等）が発生すると、過去の同じ状態変化発生時のプラントの状態の推移と、操作手順が自動的に検索され、上記プレイバック機能で表示される『自動プレイバック機能』を備えたものである。
【０１２５】
この発明の実施の形態５に係る監視制御装置の構成は、上記実施の形態１と同様である。
【０１２６】
つぎに、この実施の形態５に係る監視制御装置の動作について図面を参照しながら説明する。
【０１２７】
図１４は、この発明の実施の形態５及び６に係る監視制御装置の状態変化発生時の自動プレイバック機能の動作を示す図である。
【０１２８】
上記実施の形態３では、プラント９における状態変化発生時の処置方法が自動的に制御ウィンドウ１４として表示される運転ガイダンス機能について説明したが、本実施の形態５では、これとは別に、状態変化が発生すると、過去の同一状態変化発生時のプラント９の状態推移と、処置のための制御ウィンドウ１４での操作手順が自動プレイバックされる。
【０１２９】
まず、図５に示すグラフィック画面１において、操作員は、運転支援モード切替ボタン２２をクリックすることにより、運転支援モードを『自動プレイバック』に切り替える。
【０１３０】
このとき、図１４に示すように、グラフィック画面表示機能１は、運転支援モード切替指令を、切り替え値「自動プレイバックモード」と共に、統合データサーバ１１へ送る（ステップＳＴ５０１）。
【０１３１】
次に、統合データサーバ１１は、切り替え値「自動プレイバックモード」と共に、運転支援モード切替指令を運転支援サーバ１２へ送る（ステップＳＴ５０２）。
【０１３２】
次に、運転支援サーバ１２は、運転支援モードデータを、送られてきた「自動プレイバックモード」に書き換える。
【０１３３】
プラント９から状態変化が上がると（ステップＳＴ５０３）と、リアルタイムデータサーバ８は、状態変化を運転支援サーバ１２へ上げる（ステップＳＴ５０４）。この運転支援サーバ１２は、運転支援モードデータをチェックし、その値が「自動プレイバックモード」の場合のみ、以下の処理を行う。
【０１３４】
運転支援サーバ１２は、統合データサーバ１１に対して、リアルタイムデータサーバ８から受け取った状態変化に対して、過去に同じ状態変化が発生した時刻の検索要求を出す（ステップＳＴ５０５）。
【０１３５】
次に、統合データサーバ１１は、上記検索要求をイベント履歴サーバ４へ送る（ステップＳＴ５０６）。
【０１３６】
次に、イベント履歴サーバ４は、イベント履歴ＤＢ６を検索し、同一状態変化が発生した時刻の検索結果を統合データサーバ１１へ返す（ステップＳＴ５０７）。
【０１３７】
次に、統合データサーバ１１は、その検索結果（時刻）をプレイバック開始時刻として、プレイバック開始指令をイベント履歴サーバ４、トレンドサーバ５へ出す（ステップＳＴ５０８、ＳＴ５１０）。
【０１３８】
以後は、上記実施の形態１と同様に、プラント９の状態推移と制御ウィンドウ１４での操作、設定の自動プレイバックが実施される（ステップＳＴ５０９、ＳＴ５１１、ＳＴ５１２、ＳＴ５１３）。
【０１３９】
以上のように、状態変化が発生した場合、過去の同一事例を検索し、そのときの処置（制御ウィンドウ１４での操作、設定）とプラント９の状態推移をグラフィック画面１上で自動プレイバックすることができる。このように、例えばプラント９で異常が発生した場合も、過去の処置事例が分かりやすく、自動的に表示される。これを見れば、経験の浅い操作員でも適切な処置が行える。
【０１４０】
実施の形態６．
この発明の実施の形態６に係る監視制御装置について図面を参照しながら説明する。この発明の実施の形態６に係る監視制御装置は、上記実施の形態５と同様に、『自動プレイバック機能』を備えたものである。
【０１４１】
この発明の実施の形態６に係る監視制御装置の構成は、上記実施の形態１と同様である。
【０１４２】
つぎに、この実施の形態６に係る監視制御装置の動作について図面を参照しながら説明する。
【０１４３】
上記実施の形態５では、図１４のステップＳＴ５０７での検索結果が１件の場合、つまり、状態変化について過去の状況を調べたときに、１件のみ発生している場合を想定している。しかし、同一状態変化が過去に複数回発生していることも考えられる。この場合は、ステップＳＴ５０１からステップＳＴ５０６までの手順については、上記実施の形態５と同様の動作とし、ステップＳＴ５０７以降を下記のような手順で実施する。
【０１４４】
図１４において、ステップＳＴ５０７で複数の検索結果（最新の状態変化に対する過去の同一状態変化の発生時刻）が返ってくると、統合データサーバ１１は、トレンドサーバ５に対して、各発生時刻毎の全プラントデータのデータ取得を要求する（ステップＳＴ６０１）。
【０１４５】
次に、トレンドサーバ５は、上記各発生時刻毎の全データ取得要求に対してトレンドＤＢ７を検索し、各発生時刻毎の全プラントデータを統合データサーバｌｌへ返す（ステップＳＴ６０２）。
【０１４６】
また、統合データサーバ１１は、リアルタイムデータサーバ８に対して、現在の全プラントデータのデータ取得を要求する（ステップＳＴ６０３）。
【０１４７】
次に、リアルタイムデータサーバ８は、上記現在の全データ取得要求に対して、現在の全プラントデータを統合データサーバｌｌへ応答する（ステップＳＴ６０４）。
【０１４８】
統合データサーバ１１は、ステップＳＴ６０２で取得した各発生時刻毎のプラントデータと、ステップＳＴ６０４で取得した状態変化の発生した現在のプラントデータとを比較し、最も類似しているプラントデータの時刻を決定して、プレイバック開始時刻とする。以後は、図１４のステップＳＴ５０８以降と同様の手順で行う。
【０１４９】
図１５は、この発明の実施の形態５及び６に係る監視制御装置の統合データサーバの動作を示すフローチャートである。この図１５は、同一状態変化が１件のみ発生している場合と、同一状態変化が複数回発生している場合の処理（ステップＳＴ６５１〜ＳＴ６５７）を示す。
【０１５０】
まず、ステップＳＴ６５１において、統合データサーバ１１は、過去に同一状変（状態変化）が発生した時刻の検索要求をイベント履歴サーバ４へ送る。
【０１５１】
次に、ステップＳＴ６５２において、統合データサーバ１１は、イベント履歴サーバ４からの検索結果に基き、同一状態変化が複数回発生しているかを判断する。検索結果が１件の場合は、ステップＳＴ６５３へ進み、検索結果が複数件の場合には、ステップＳＴ６５５へ進む。
【０１５２】
次に、ステップＳＴ６５３〜６５４において、統合データサーバ１１は、検索結果の時刻をプレイバック開始時刻として、プレイバック開始指令をイベント履歴サーバ４とトレンドサーバ５へ出す。これ以降の動作は、上記実施の形態５と同様である。
【０１５３】
ステップＳＴ６５５において、統合データサーバ１１は、トレンドサーバ５に対して、各発生時刻毎の全プラントデータのデータ取得を要求する。また、リアルタイムデータサーバ８に対して、現在の全プラントデータのデータ取得を要求する。そして、トレンドサーバ５から、各発生時刻毎の全プラントデータを取得するとともに、リアルタイムデータサーバ８から、現在の全プラントデータを取得する。
【０１５４】
次に、ステップＳＴ６５６、６５７、６５４において、統合データサーバ１１は、取得した各発生時刻毎のプラントデータと、取得した状態変化の発生した現在のプラントデータとを比較し、最も類似しているプラントデータの時刻を決定して、プレイバック開始時刻とする。この開始時刻を含むプレイバック開始指令をイベント履歴サーバ４とトレンドサーバ５へ出す。これ以降の動作は、上記実施の形態５と同様である。
【０１５５】
以上のように、プラント９で発生した最新の状態変化について、過去に発生した事例が複数ある場合は、プラント９の最新の状態に最も類似した状況での処置（制御ウィンドウ１４での操作、設定）と、そのときのプラント９の推移が自動的にプレイバック表示される。従って、操作員は、最も適切な処置方法を容易に知ることができる。
【０１５６】
【発明の効果】
この発明に係る監視制御装置は、以上説明したとおり、イベント履歴データを格納するイベント履歴データベースと、トレンドデータを格納するトレンドデータベースと、前記イベント履歴データベースを管理し、プレイバック開始指令に従って前記イベント履歴データベースから前記イベント履歴データを取得するイベント履歴サーバと、前記トレンドデータベースを管理し、前記プレイバック開始指令に従って前記トレンドデータベースから前記トレンドデータを取得するトレンドサーバと、前記プレイバック開始指令を仲介して前記イベント履歴サーバ及び前記トレンドサーバへ送る統合データサーバと、グラフィック画面上のプレイバックボタンがクリックされると前記グラフィック画面上にプレイバック開始ウィンドウを表示し、前記プレイバック開始ウィンドウにおいて開始時刻が入力されて再生開始ボタンがクリックされると前記開始時刻を含む前記プレイバック開始指令を出力し、前記統合データサーバ、前記イベント履歴サーバ、及び前記トレンドサーバを通じて前記イベント履歴データベース、及び前記トレンドデータベースから前記開始時刻以降のイベント履歴データ、及びトレンドデータを取得して前記グラフィック画面に表示するグラフィック画面表示機能とを備えたので、過去の操作、設定とそのときのプラントの状態推移を、操作員の指定する任意の時刻よりプレイバック表示することができるという効果を奏する。
【０１５７】
また、この発明に係る監視制御装置は、以上説明したとおり、イベント履歴画面上の編集モードボタンがクリックされると前記イベント履歴画面上に表示中のイベント履歴データをイベント履歴データ一覧として表示し、前記イベント履歴データ一覧においてデータが編集されて保存ボタンがクリックされると編集されたイベント履歴データを含む変更要求を出力するイベント履歴画面表示機能をさらに備え、前記統合データサーバは、前記変更要求を仲介して前記イベント履歴サーバへ送り、前記イベント履歴サーバは、前記変更要求に従って前記イベント履歴データベースを書き換えるので、イベント履歴データベースに蓄積されているデータを画面上より編集することができるという効果を奏する。
【０１５８】
また、この発明に係る監視制御装置は、以上説明したとおり、トレンドグラフ画面上の編集モードボタンがクリックされると前記トレンドグラフ画面上に表示中のトレンドデータをトレンドデータ一覧として表示し、前記トレンドデータ一覧においてデータが編集されて保存ボタンがクリックされると編集されたトレンドデータを含む変更要求を出力するトレンドグラフ画面表示機能をさらに備え、前記統合データサーバは、前記変更要求を仲介して前記トレンドサーバへ送り、前記トレンドサーバは、前記変更要求に従って前記トレンドデータベースを書き換えるので、トレンドデータベースに蓄積されているデータを画面上より編集することができるという効果を奏する。
【０１５９】
この発明に係る監視制御装置は、以上説明したとおり、プラントで発生した状態変化を収集して出力するリアルタイムデータサーバと、状態変化に対応する運転ガイダンス情報を格納する運転支援データベースと、前記運転支援データベースを管理し、切り替え値「運転ガイダンス」を含む運転支援モード切替指令に従って前記リアルタイムデータサーバからの状態変化に対応する運転ガイダンス情報を前記運転支援データベースから取得して出力する運転支援サーバと、前記切り替え値「運転ガイダンス」を含む運転支援モード切替指令を仲介して前記運転支援サーバへ送る統合データサーバと、グラフィック画面上の運転支援モード切替ボタンがクリックされて運転支援モードが運転ガイダンスに切り替えられると、前記切り替え値「運転ガイダンス」を含む運転支援モード切替指令を前記統合データサーバを通じて前記運転支援サーバへ出力し、前記運転支援サーバから前記統合データサーバを通じて前記状態変化に対応する運転ガイダンス情報を取得して前記グラフィック画面に表示するグラフィック画面表示機能とを備えたので、プラントで状態変化が発生した際、処置が必要な機器について、適切な操作、設定値を自動的に表示することができるという効果を奏する。
【０１６０】
また、この発明に係る監視制御装置は、以上説明したとおり、運転支援ＤＢ編集画面上の編集モードボタンがクリックされるとＤＢ内容取得要求を出力して前記運転支援データベースから取得した状態変化に対応する運転ガイダンス情報の一覧を表示し、前記運転ガイダンス情報一覧においてデータが編集されて保存ボタンがクリックされると運転ガイダンス情報の編集結果を出力する運転支援ＤＢ編集画面表示機能をさらに備え、前記統合データサーバは、前記ＤＢ内容取得要求、及び前記編集結果を仲介して前記運転支援サーバへ送るとともに、前記状態変化に対応する運転ガイダンス情報を仲介して前記運転支援ＤＢ編集画面表示機能へ送り、前記運転支援サーバは、前記ＤＢ内容取得要求に従って前記運転支援データベースから前記状態変化に対応する運転ガイダンス情報を取得するとともに、前記編集結果に従って前記運転支援データベースを書き換えるので、別途、専用の編集装置を設置する必要がなく、運転支援データベース自体を画面より容易に変更できるという効果を奏する。
【０１６１】
この発明に係る監視制御装置は、以上説明したとおり、プラントで発生した状態変化を収集して出力するリアルタイムデータサーバと、イベント履歴データを格納するイベント履歴データベースと、トレンドデータを格納するトレンドデータベースと、前記イベント履歴データベースを管理し、検索要求に従って前記イベント履歴データベースから過去に同じ状態変化が発生した時刻を検索してその検索結果を出力し、プレイバック開始指令に従って前記イベント履歴データベースから前記イベント履歴データを取得するイベント履歴サーバと、前記トレンドデータベースを管理し、前記プレイバック開始指令に従って前記トレンドデータベースから前記トレンドデータを取得するトレンドサーバと、切り替え値「自動プレイバック」を含む運転支援モード切替指令に従って前記リアルタイムデータサーバからの状態変化に対して、過去に同じ状態変化が発生した時刻の検索要求を出力する運転支援サーバと、前記切り替え値「自動プレイバック」を含む運転支援モード切替指令を仲介して前記運転支援サーバへ送り、前記検索要求を仲介して前記イベント履歴サーバへ送り、前記検索要求に対する検索結果に基づいて開始時刻を含む前記プレイバック開始指令を前記イベント履歴サーバ及び前記トレンドサーバへ送る統合データサーバと、グラフィック画面上の運転支援モード切替ボタンがクリックされて運転支援モードが自動プレイバックに切り替えられると、前記切り替え値「自動プレイバック」を含む運転支援モード切替指令を前記統合データサーバを通じて前記運転支援サーバへ出力し、前記統合データサーバ、前記イベント履歴サーバ、及び前記トレンドサーバを通じて前記イベント履歴データベース、及び前記トレンドデータベースから前記開始時刻以降のイベント履歴データ、及びトレンドデータを取得して前記グラフィック画面に表示するグラフィック画面表示機能とを備えたので、状態変化が発生した場合、過去の同一事例の処置とプラントの状態推移をグラフィック画面上で自動プレイバックすることができるという効果を奏する。
【０１６２】
また、この発明に係る監視制御装置は、以上説明したとおり、前記統合データサーバが、前記イベント履歴サーバからの検索結果に基き、同一状態変化が複数回発生している場合には、前記トレンドサーバから各発生時刻毎の全プラントデータを取得するとともに、前記リアルタイムデータサーバから現在の全プラントデータを取得し、両者を比較して最も類似しているプラントデータの時刻をプレイバック開始時刻とし、この開始時刻を含むプレイバック開始指令を前記イベント履歴サーバ及び前記トレンドサーバへ出力するので、状態変化が発生した場合、過去の同一事例の処置とプラントの状態推移をグラフィック画面上で自動プレイバックすることができるという効果を奏する。
【図面の簡単な説明】
【図１】この発明の実施の形態１に係る監視制御装置の構成を示す図である。
【図２】この発明の実施の形態１に係る監視制御装置のイベント履歴ＤＢのデータベース構造を示す図である。
【図３】この発明の実施の形態１に係る監視制御装置のトレンドＤＢのデータベース構造を示す図である。
【図４】この発明の実施の形態１に係る監視制御装置の運転支援ＤＢのデータベース構造を示す図である。
【図５】この発明の実施の形態１に係る監視制御装置のグラフィック画面の具体例を示す図である。
【図６】この発明の実施の形態１に係る監視制御装置のイベント履歴画面の具体例を示す図である。
【図７】この発明の実施の形態１に係る監視制御装置のトレンドグラフ画面の具体例を示す図である。
【図８】この発明の実施の形態１に係る監視制御装置の運転支援ＤＢ編集画面の具体例を示す図である。
【図９】この発明の実施の形態１に係る監視制御装置のグラフィック画面表示動作を示す図である。
【図１０】この発明の実施の形態１に係る監視制御装置のプレイバック機能の動作を示す図である。
【図１１】この発明の実施の形態２に係る監視制御装置の過去データ編集機能の動作を示す図である。
【図１２】この発明の実施の形態３に係る監視制御装置の運転ガイダンス機能の動作を示す図である。
【図１３】この発明の実施の形態４に係る監視制御装置の運転支援ＤＢ編集機能の動作を示す図である。
【図１４】この発明の実施の形態５及び６に係る監視制御装置の状態変化発生時の自動プレイバック機能の動作を示す図である。
【図１５】この発明の実施の形態５及び６に係る監視制御装置の統合データサーバの動作を示すフローチャートである。
【図１６】従来の監視制御装置の構成を示す図である。
【符号の説明】
１  グラフィック画面（表示機能）、２  イベント履歴画面（表示機能）、３トレンドグラフ画面（表示機能）、４  イベント履歴サーバ、５  トレンドサーバ、６  イベント履歴データベース（ＤＢ）、６Ａ  イベント履歴ダミーデータベース（ＤＢ）、７  トレンドデータベース（ＤＢ）、７Ａ  トレンドダミーデータベース（ＤＢ）、８  リアルタイムデータサーバ、９  プラント、１０  運転支援ＤＢ編集画面（表示機能）、１１  統合データサーバ、１２  運転支援サーバ、１３  運転支援データベース（ＤＢ）、１４  制御ウィンドウ、１５  編集モード切替ボタン、１６  編集モード切替ボタン、１７  編集モード切替ボタン、１８  イベント履歴データ一覧、１９  トレンドデータ一覧、２０  プレイバックボタン、２１  プレイバック開始ウィンドウ、２２  運転支援モード切替ボタン、２３  保存ボタン、２４  保存ボタン、２５  保存ボタン。
【図１】
0003602482.tif 000002
【図２】
0003602482.tif 000003
【図３】
0003602482.tif 000004
【図４】
0003602482.tif 000005
【図５】
0003602482.tif 000006
【図６】
0003602482.tif 000007
【図７】
0003602482.tif 000008
【図８】
0003602482.tif 000009
【図９】
0003602482.tif 000010
【図１０】
0003602482.tif 000011
【図１１】
0003602482.tif 000012
【図１２】
0003602482.tif 000013
【図１３】
0003602482.tif 000014
【図１４】
0003602482.tif 000015
【図１５】
0003602482.tif 000016
【図１６】
0003602482.tif 000017